(57)【特許請求の範囲】
【請求項１】
対物光学系を内蔵する鏡胴と、
この鏡胴を保持する鏡胴保持部材と、
上記対物光学系で捉えられた被観察体を撮像する固体撮像素子と、
この固体撮像素子の上面側をカバーする透光部材と、を備えた内視鏡用撮像装置において、
上記鏡胴の外周部が露出するように上記鏡胴保持部材の一部をカットし、このカット部に上記透光部材を当該鏡胴保持部材の一部として配置すると共に、
上記透光部材に上記鏡胴の外周部を配置するための溝を形成したことを特徴とする内視鏡用撮像装置。
【発明の詳細な説明】
【０００１】
【発明の属する技術分野】
本発明は内視鏡用撮像装置、特に鏡胴を通過する像光がプリズム等を介して固体撮像素子に導かれる構成となる撮像装置で、内視鏡の細径化を促進する構造に関する。
【０００２】
【従来の技術】
図４には、従来の電子内視鏡で用いられている撮像装置の構成が示されている。この装置は、内視鏡先端部内に収納されるもので、対物光学系１を有する鏡胴２が筒状の鏡胴保持部材３に保持されて配置される。この鏡胴保持部材３の後方に、プリズム４が取り付けられ、このプリズム４にカバーガラス５を介して固体撮像素子であるＣＣＤ（Charge Coupled Device）６が光学的に接続される。このＣＣＤ６は、回路基板として機能するパッケージ７に収められ、その上側が上記カバーガラス５で塞がれており、このパッケージ７の端部にはビデオ信号伝送線が接続される。
【０００３】
このような撮像装置によれば、上記の対物光学系１によって捉えられた像光がプリズム４で反射されてＣＣＤ６の撮像面（上面）に到達することになり、このＣＣＤ６では入射光に対応した電荷量をビデオ信号として出力し、このビデオ信号を処理することにより被観察体内の画像が形成される。
【０００４】
【発明が解決しようとする課題】
ところで、この種の内視鏡では、従来から内視鏡先端部の細径化が進められており、ＣＣＤ６の実装構造の改善等が行われている。例えば、図４に示したパッケージ７をなくし、ＣＣＤ６の上面にカバーガラス５を密着させ、この両者の重ね部分を含むＣＣＤ６及びカバーガラス５の外周部に接着剤を充填する構成とすれば、撮像装置の高さｈ1 を少しでも低くすることができる。ここで、図４の鏡胴２の光軸１００は内視鏡軸（長さ方向の軸）に平行となっており、上記高さｈ1 を低くすることにより細径化が促進される。
【０００５】
しかし、撮像や処置に関する各種の機構、構造を追加する必要性から、内視鏡先端部の更なる細径化が要請されており、上記の対物光学系１を有する鏡胴２及びＣＣＤ６の取付け部分に関して更なる改善を図ることができれば、細径化の促進に貢献できる。
【０００６】
本発明は上記問題点に鑑みてなされたものであり、その目的は、内視鏡細径化の促進を図ることができる内視鏡用撮像装置を提供することにある。
【０００７】
【課題を解決するための手段】
上記目的を達成するために、本発明は、対物光学系を内蔵する鏡胴と、この鏡胴を保持する鏡胴保持部材と、上記対物光学系で捉えられた被観察体を撮像する固体撮像素子と、この固体撮像素子の上面側をカバーする透光部材と、を備えた内視鏡用撮像装置において、上記鏡胴の外周部が露出するように上記鏡胴保持部材の一部をカットし、このカット部に上記透光部材を当該鏡胴保持部材の一部として配置すると共に、上記透光部材に上記鏡胴の外周部を配置するための溝を形成したことを特徴とする。
【０００８】
上記の構成によれば、透光部材に鏡胴保持部材の一部の保持機能をさせることにより、透光部材の上面が鏡胴の光軸に近づくことになり、これによって撮像装置の高さを少なくとも鏡胴保持部材のカット部の厚みの分だけ低くすることができる。
また、上記のカット部の厚み分に加えて更に透光部材の溝の深さ分、撮像装置の高さを低くすることが可能となる。
【０００９】
【発明の実施の形態】
図１及び図２には、実施形態例に係る内視鏡用撮像装置の構造が示されており、この撮像装置は電子スコープの先端部内に配置される。図１において、枠部材１０内に対物光学系１１を内蔵した鏡胴１２は、その外周部に配置された筒状の鏡胴保持部材１３に保持され、この鏡胴保持部材１３内で鏡胴１２は光軸１００の方向に移動可能となっている。なお、この鏡胴保持部材１３は先端側が円筒形で後側の外周は途中から四角形となっている。
【００１０】
上記鏡胴保持部材１３の後方に、プリズム１４が配置され、このプリズム１４の下面にカバーガラス（透光部材）１５を介してＣＣＤ１６が配置されており、このＣＣＤ１６の撮像面Ｓ1 は上記鏡胴１２の光軸１００に平行となる。このＣＣＤ１６では、例えばその撮像面側から外側に突出して設けたリード線を回路基板１７に接続し、上記撮像面Ｓ1 上にリード線を挟むように載せたカバーガラス１５の周辺部を接着剤等により接着する。更に、図示のように充填剤（接着剤等）１８をＣＣＤ１６の周辺部と回路基板１７との間に充填することにより、このＣＣＤ１６とカバーガラス１５の間（僅かな空間）を気密状態とする。なお、上記回路基板１７にはビデオ信号等の信号伝送線が接続される。
【００１１】
上記の鏡胴保持部材１３の後端側では、その外周下側を平面カットしたカット部２０が設けられる。即ち、図２（Ａ）には鏡胴部が示され、図２（Ｂ）に図（Ａ）を下側から見た状態が示されているが、この図（Ｂ）のように鏡胴１２の枠部材１０の一部（底部）が露出するように、図（Ａ）の点線位置まで鏡胴保持部材１３の下側を切断する。
【００１２】
一方、図２（Ｃ）及び（Ｄ）に示されるように、カバーガラス１５には、上面の前側に円弧状の溝２２を形成し、この溝２２には、異常光線の反射及び透過による画像への影響をなくすために反射防止塗料の塗布等の反射防止処理を施している。そして、この溝２２に、上記図２（Ｂ）で露出する鏡胴１２の枠部材１０の円筒外周を配置する。
【００１３】
このような実施形態例の構成によれば、カバーガラス１５の前側を鏡胴保持部材１３のカット部２０の下側に、溝２２の方も鏡胴１２の枠部材１０の外周部に配置して接着剤で接着すると共に、このカバーガラス１５の中央部をプリズム１４の下側に接着剤で接着する。従って、このカバーガラス１５は鏡胴保持部材１３のカット部２０において保持部材としての機能も発揮することになる。
【００１４】
そして、図２に示されるように、少なくとも枠部材１０の厚みｔ1 とカバーガラス１５の溝２２の深さｔ2 を合せた厚みｔ3 の分につき撮像装置の高さが低くなり、図１に示す装置の高さｈ2 は、従来の図４の装置の高さｈ1 （図４）よりも低くなる。この結果、内視鏡先端部の細径化が促進できる。
【００１５】
図３には、参考例の撮像装置の構成が示されており、この参考例は従来の図４のパッケージ型を用いたものである。図３において、鏡胴１２の鏡胴保持部材２３では、この鏡胴保持部材２３の厚みｔ1 のみをカットしたカット部２４を設け、カバーガラス５には第１例のような溝を設けないこととする。従って、プリズム２５の下面は上記鏡胴１２の枠部材１０の下端位置に合せるように配置する。
【００１６】
このような参考例の構成の場合も、カバーガラス５の前側を鏡胴保持部材２３のカット部２４に接着することにより、鏡胴保持部材２３の一部として機能し、撮像装置の高さｈ3 も、少なくとも枠部材１０の厚みｔ1 分が従来の図４の高さｈ1 と比較して低くなる。
【００１７】
【発明の効果】
以上説明したように、本発明によれば、鏡胴の外周部が露出するように鏡胴保持部材の一部をカットし、このカット部に固体撮像素子側の透光部材を当該保持部材の一部として配置したので、少なくとも鏡胴保持部材の厚み分につき撮像装置の高さを低くすることができ、この結果内視鏡先端部の細径化が図られる。
【００１８】
また、上記透光部材に鏡胴の外周部を配置するための溝を形成したので、上記鏡胴保持部材の厚みに加えて溝の深さ分につき先端部の細径化を図ることができる。
【図面の簡単な説明】
【図１】  本発明の実施形態例に係る内視鏡用撮像装置の構成を示す側面断面図である。
【図２】図１の撮像装置の各部の構成を示し、図（Ａ）は鏡胴及びその保持部材の側面断面図、図（Ｂ）は図（Ａ）の部材を下側から見た図、図（Ｃ）はカバーガラスの鏡胴光軸方向の断面図、図（Ｄ）はカバーガラスを前側から見た図である。
【図３】  参考例の撮像装置の構成を示す側面断面図である。
【図４】従来の内視鏡用撮像装置の構成を示す側面断面図である。
【符号の説明】
１，１１  …  対物光学系、
２，１２  …  鏡胴、
３，１３，２３  …  鏡胴保持部材、
５，１５  …  カバーガラス、
６，１６  …  ＣＣＤ、
１０  …  枠部材、
２０，２４  …  カット部、
２２  …  溝。
【図１】
0004321787.tif 000002
【図２】
0004321787.tif 000003
【図３】
0004321787.tif 000004
【図４】
0004321787.tif 000005